【手続補正書】
【提出日】平成17年4月5日(2005.4.5)
【手続補正１】
【補正対象書類名】明細書
【補正対象項目名】特許請求の範囲
【補正方法】変更
【補正の内容】
【特許請求の範囲】
【請求項１】
ディスク状記録媒体を用いるディジタル記録装置において、
上記ディスク状記録媒体に記録された複数個のファイルの各々に係る抜粋情報を抜き出し、抜き出した抜粋情報を上記複数個のファイルの各々と関連付けて格納することによってインデックスファイルを生成し、生成した上記インデックスファイルを上記ディスク状記録媒体の所定位置に記録することにより、
所定の動作モードを行うに際して、上記ディスク状記録媒体に記録された上記複数個のファイルを一定の形式で出力するようにしたことを特徴とする記録装置。
【請求項２】
ディスク状記録媒体を用いるディジタル記録装置において、
ディスク状記録媒体に記録された複数個のファイルの各々に係る抜粋情報を抜き出す手段と、
抜き出された抜粋情報を上記複数個のファイルの各々と関連付けてインデックスファイルを生成する手段と、
記録媒体の所定位置に上記インデックスファイルを記録する手段とを備え、
上記抜粋情報は、プロパティ情報とサムネイル情報とタイトル情報の内の少なくとも２個の情報を含み、
上記プロパティ情報が上記複数のファイルの複数の属性を示し、上記サムネイル情報が上記複数のファイルを表す複数の代表的画像を含み、上記プロパティ情報が上記ファイルと上記サムネイル情報または上記タイトル情報とを関連付けることを特徴とする記録装置。
【請求項３】
請求項１または２において、
上記インデックスファイルは、
上記ディスク状記録媒体の最内周側の記録領域に記録されることを特徴とする記録装置。
【請求項４】
請求項１または２において、
上記所定の動作モード開始時に、上記インデックスファイルから上記抜粋情報を再生し、再生した上記抜粋情報を上記複数個のファイルの各々と関連付けて出力することを特徴とする記録装置。
【請求項５】
請求項１または２において、
上記所定の動作モードは、
再生および／または編集モードであることを特徴とする記録装置。
【請求項６】
請求項１または２において、
上記抜粋情報は、
上記複数個のファイルの各々の属性を示すデータを含むことを特徴とする記録装置。
【請求項７】
請求項６において、
上記属性を示すデータは、
上記複数個のファイルの各々が記録された日時を含むことを特徴とする記録装置。
【請求項８】
請求項６において、
上記属性を示すデータは、
上記複数個のファイルの各々が修正された日時を含むことを特徴とする記録装置。
【請求項９】
請求項６において、
上記属性を示すデータは、
上記複数個のファイルの各々が再生されるために必要とされる時間の長さを含むことを特徴とする記録装置。
【請求項１０】
請求項１または２において、
上記抜粋情報は、
上記複数個のファイルの各々のタイトルを含むことを特徴とする記録装置。
【請求項１１】
請求項１または２において、
上記抜粋情報は、
上記複数個のファイルの各々に含まれる画像データの一部を含むことを特徴とする記録装置。
【請求項１２】
請求項１または２において、
上記抜粋情報は、
複数個のファイルの各々に含まれるオーディオデータの一部を含むことを特徴とする記録装置。
【請求項１３】
請求項１または２において、
上記インデックスファイルは、
上記抜粋情報の集合体からなる第１の領域と、
上記抜粋情報と当該抜粋情報を抜き出したファイルとを対応させるための情報、および上記第１の領域内で、上記抜粋情報の各々が記録されている位置を示す情報が記録されてなる第２の領域とからなることを特徴とする記録装置。
【請求項１４】
請求項１３において、
上記第２の領域は、
上記ディスク状記録媒体に記録された上記複数個のファイルの内の幾つかからなるファイル群について、上記抜粋情報の各々に、当該抜粋情報を抜き出したファイル群とを対応させるための情報を含むことを特徴とする記録装置。
【請求項１５】
請求項１３において、
上記第２の領域と同一形式の記録内容を有するリソースファイルがさらに記録され、
上記リソースファイルに記録された、上記インデックスファイル内の上記第１の領域内で上記抜粋情報の各々が記録されている位置を示す情報を用いることにより、
再生動作を含む動作モードを行うに際して、上記ディスク状記録媒体に記録された上記複数個のファイルを容易に検索されるようにしたことを特徴とする記録装置。
【請求項１６】
請求項１５において、
上記リソースファイルは、
上記ディスク状記録媒体に記録された上記複数個のファイルの内の幾つかからなるファイル群について、上記抜粋情報の各々に、当該抜粋情報を抜き出したファイル群とを対応させるための情報を含むことを特徴とする記録装置。
【請求項１７】
請求項１３において、
上記第２の領域の記述により、他のインデックスファイル内の第１の領域内のデータを指示するようにしたことを特徴とする記録装置。
【請求項１８】
請求項１３において、
上記第２の領域の記述により、他のファイル内のデータを指示するようにしたことを特徴とする記録装置。
【請求項１９】
請求項１８において、
上記他のファイルは、
上記抜粋情報を含むことを特徴とする記録装置。
【請求項２０】
ディスク状記録媒体を用いるディジタル記録装置における記録方法において、
ディスク状記録媒体に記録された複数個のファイルの各々に係る抜粋情報を抜き出し、抜き出した抜粋情報を上記複数個のファイルの各々と関連付けて格納することによってインデックスファイルを生成し、生成した上記インデックスファイルを上記ディスク状記録媒体の所定位置に記録することにより、
再生動作を含む動作モードを行うに際して、上記ディスク状記録媒体に記録された上記複数個のファイルを一定の形式で出力するようにしたことを特徴とする記録方法。
【請求項２１】
ディスク状記録媒体において、
自己が記録している複数個のファイルの各々に係る抜粋情報を上記複数個のデータの各々と関連付けて格納することによって生成されるインデックスファイルが所定位置に記録されてなるディスク状記録媒体。
【請求項２２】
複数のファイルおよびインデックスファイルを記録するディスク状記録媒体において、
上記インデックスファイルが上記複数のファイルと当該ファイルからの抜粋情報とを関連付け、
上記インデックスファイルが所定位置に記録可能とされ、
上記抜粋情報は、プロパティ情報とサムネイル情報とタイトル情報の内の少なくとも２個の情報を含み、
上記プロパティ情報が上記複数のファイルの複数の属性を示し、上記サムネイル情報が上記複数のファイルを表す複数の代表的画像を含み、上記プロパティ情報が上記ファイルと上記サムネイル情報または上記タイトル情報とを関連付けることを特徴とするディスク状記録媒体。
【請求項２３】
ディスク状記録媒体を用いるディジタル記録装置において、
画像データを生成する手段と、
ディスク状記録媒体上に画像ファイルとして上記画像データを記録する手段と、
上記ディスク状記録媒体に記録された複数の画像ファイルの各々に係る抜粋情報を抜き出す手段と、
上記抜き出された上記抜粋情報と上記画像ファイルとを関連付け、インデックスファイルを生成する手段と、
記録媒体の所定位置に上記インデックスファイルを記録する手段とを備え、
上記抜粋情報は、プロパティ情報とサムネイル情報とタイトル情報の内の少なくとも２個の情報を含み、
上記プロパティ情報が上記複数のファイルの複数の属性を示し、上記サムネイル情報が上記複数のファイルを表す複数の代表的画像を含み、上記プロパティ情報が上記画像ファイルと上記サムネイル情報または上記タイトル情報とを関連付けることを特徴とする記録装置。
【請求項２４】
請求項２３において、
さらに、表示面上に上記代表的画像を表示する手段と、
上記表示面上で上記代表画像を指示する手段とを備え、
上記代表画像が指示される時に上記インデックスファイルに基づいて上記表示面上に画像データが再生されるようにした記録装置。
【手続補正２】
【補正対象書類名】明細書
【補正対象項目名】０００５
【補正方法】変更
【補正の内容】
【０００５】
【課題を解決するための手段】
この発明の第１の態様は、ディスク状記録媒体を用いるディジタル記録装置において、
ディスク状記録媒体に記録された複数個のファイルの各々に係る抜粋情報を抜き出し、抜き出した抜粋情報を複数個のファイルの各々と関連付けて格納することによってインデックスファイルを生成し、生成したインデックスファイルをディスク状記録媒体の所定位置に記録することにより、
所定の動作モードを行うに際して、ディスク状記録媒体に記録された複数個のファイルを一定の形式で出力するようにしたことを特徴とする記録装置である。
【手続補正３】
【補正対象書類名】明細書
【補正対象項目名】０００６
【補正方法】変更
【補正の内容】
【０００６】
この発明の第２の態様は、ディスク状記録媒体を用いるディジタル記録装置における記録方法において、
ディスク状記録媒体に記録された複数個のファイルの各々に係る抜粋情報を抜き出し、抜き出した抜粋情報を複数個のファイルの各々と関連付けて格納することによってインデックスファイルを生成し、生成したインデックスファイルをディスク状記録媒体の所定位置に記録することにより、
再生動作を含む動作モードを行うに際して、ディスク状記録媒体に記録された複数個のファイルを一定の形式で出力するようにしたことを特徴とする記録方法である。
【手続補正４】
【補正対象書類名】明細書
【補正対象項目名】０００７
【補正方法】変更
【補正の内容】
【０００７】
この発明の第３の態様は、ディスク状記録媒体において、
自己が記録している複数個のファイルの各々に係る抜粋情報を複数個のデータの各々と関連付けて格納することによって生成されるインデックスファイルが所定位置に記録されてなるディスク状記録媒体である。
【手続補正５】
【補正対象書類名】明細書
【補正対象項目名】００２８
【補正方法】変更
【補正の内容】
【００２８】
この発明の一実施形態の外形の一例を図２に模式的に示す。参照符号２１０は、撮影レンズである。また、表示パネル２２０を介して、再生画像、操作内容に対応する表示等が行われる。表示パネル２２０は、ＬＣＤ等の表示素子と共に圧電素子等を含んで構成されており、各表示部分をポインティングデバイス２３０で押圧する等の操作により、ユーザ等が再生等の操作を入力することが可能とされている。
【手続補正６】
【補正対象書類名】明細書
【補正対象項目名】００３４
【補正方法】変更
【補正の内容】
【００３４】
ムービーリソース部分について詳細に説明する。ムービーリソース部分には、ファイル全体に係る情報を記述するムービーヘッダ４１と、データの種類毎のトラックとが含まれる。図４では、ビデオトラック５０の内部的な構造の一例を詳細に示した。ビデオデータトラックには、トラック全体に係る情報を記述するトラックヘッダ４２とメディア部とが含まれる。メディア部には、メディア全体に係る情報を記述するメディアヘッダ４３、メディアデータの取り扱いに係る情報を記述するメディアハンドラ４４と共に、メディアインフォメーション部が含まれる。
【手続補正７】
【補正対象書類名】明細書
【補正対象項目名】００３５
【補正方法】変更
【補正の内容】
【００３５】
メディアインフォメーション部には、画像メディアに係る情報を記述するビデオメディアハンドラ４５、画像データの取り扱いに係る情報を記述するデータハンドラ４６、およびデータについての情報を記述するデータインフォーメーション４７と共に、サンプルテーブルが記録されている。サンプルテーブル内には、各サンプルについての記述を行うサンプルデスクリプション、サンプルと時間軸の関係を記述するタイム−ツー−サンプル、サンプルの大きさを記述するサンプルサイズ４８、サンプルとチャンクの関係を記述するタイム−ツーチャンクと、ムービーデータ内でのチャンクの開始ビット位置を記述するチャンクオフセット４９、同期に係る記述を行うシンクサンプル等が格納されている。ここで、Quick Timeにおいてはデータの最小単位（例えばＭＰＥＧ符号化データにおけるピクチャ）がサンプルとして扱われ、サンプルの集合体としてチャンクが定義される。記録再生時のアクセス性を向上させるために、チャンク内には、連続するサンプルが格納される。また、オーディオトラック５１にも、図示は省略するが、ビデオトラックの内部的な構造に類似する内部構造が設定される。
【手続補正８】
【補正対象書類名】明細書
【補正対象項目名】００３８
【補正方法】変更
【補正の内容】
【００３８】
この発明の一実施形態では、QuickTime ムービーファイルを用いてインデックスファイルが作成される。インデックスファイルでは、検索対象とされるファイルにおいて扱われるデータの種類に依存するデータが扱われる。ここでは、検索対象とされるファイルが画像データとオーディオデータとを扱うファイル（以下、ＡＶファイルと表記する）を前提として説明する。この場合、インデックスファイルでは、プロパティ、タイトル、サムネイルピクチャ、イントロミュージックの４種類のデータが扱われる。プロパティは、各ＡＶファイルの属性を示すデータである。タイトルは、各ＡＶファイルのタイトルを示すデータである。サムネイルピクチャは、各ＡＶファイル中の例えば最初の１枚等の、代表的な１枚分の画像データである。イントロミュージックは、各ＡＶファイル中の例えば最初の数秒等の、代表的な数秒分のオーディオデータである。
【手続補正９】
【補正対象書類名】明細書
【補正対象項目名】００４３
【補正方法】変更
【補正の内容】
【００４３】
フラグ領域の一例を図８に示す。０番目のビットは、エントリされているデータがファイルである場合に０とされ、エントリされているデータがグループ化されたファイル群またはディレクトリである場合に１とされる。１番目のビットは、ＡＶファイルに参照するファイルがない場合に０とされ、ＡＶファイルに参照するファイルがある場合に１とされる。２番目のビットは、タイトルが登録されていない場合に０とされ、タイトルが登録されている場合に１とされる。３番目のビットは、タイトルのデータがインデックスファイル内にある場合に０とされ、タイトルのデータがプロパティデータによって指示されるＡＶファイル内にある場合に１とされる。４番目のビットは、ＡＶファイル内にサムネイル画像が登録されていない場合に０とされ、ＡＶファイル内にサムネイル画像が登録されている場合に１とされる。
【手続補正１０】
【補正対象書類名】明細書
【補正対象項目名】００４５
【補正方法】変更
【補正の内容】
【００４５】
タイトルトラック６３の一例を図９に示す。この発明の一実施形態では、検索対象とされる各ＡＶファイル毎にタイトルを登録することができるようになされている。登録されるタイトルはムービーデータ部分に実データとして格納され、各ＡＶファイル毎のタイトルのデータ長および開始位置がタイトルトラックによって示される。タイトルトラックは、図９に示すように、各ＡＶデータに対応するタイトルデータに係るチャンクとして定義された、AV File Title ＃１，AV File Title ＃２，‥‥，AV File Title ＃ｎのそれぞれについて、データ長（例えばバイト単位で表示される可変長）L ＿AT１，L ＿AT２，‥‥，L ＿ATn 、および開始バイト位置０，L ＿AT１，L ＿AT１＋L ＿AT２，‥‥をそれぞれ示すテーブルの形式とされている。
【手続補正１１】
【補正対象書類名】図面
【補正対象項目名】図６
【補正方法】変更
【補正の内容】
【図６】
2001084705.tif 000001